(57)【特許請求の範囲】
【請求項１】
親局装置に接続された局側装置と、
端末との間で無線通信を行う子局装置に接続された端末側装置と、
前記局側装置と前記端末側装置とを接続する光伝送路と
を備え、
前記端末側装置は、
前記端末が無線データを送信する送信タイミングを示す無線データ送信タイミング情報を前記子局装置から受信して、前記無線データ送信タイミング情報を受信した受信時刻を検出する受信時刻検出部と、
前記受信時刻を前記局側装置に通知する通知フレームを送信する送信部と
を備え、
前記局側装置は、
前記親局装置が管理する無線上りスケジューリング情報を抽出する無線情報抽出部と、
前記送信部が送信する前記通知フレームから前記受信時刻を抽出する時刻抽出部と、
前記時刻抽出部が抽出した前記受信時刻に基づいて、前記無線上りスケジューリング情報に対応するデータを前記端末側装置が前記子局装置から受信する推定受信時刻を算出する推定時刻算出部と、
前記推定受信時刻と前記無線上りスケジューリング情報とに基づいて、前記端末側装置から前記局側装置へデータ送信を行うための光上りスケジューリング情報を生成するスケジューリング部と、
前記光上りスケジューリング情報を前記端末側装置に通知する通知部と
を備えた、
光通信システム。
【請求項２】
前記無線上りスケジューリング情報が、前記無線データの無線フレーム番号及びサブフレーム番号を含み、
前記通知フレームは、前記受信時刻と、前記受信時刻に対応する前記無線データの無線フレーム番号およびサブフレーム番号とを含み、
前記推定時刻算出部は、
前記無線上りスケジューリング情報から、前記無線フレーム番号及びサブフレーム番号を抽出する第１の番号抽出部と、
前記通知フレームから、前記無線フレーム番号及びサブフレーム番号を抽出する第２の番号抽出部と、
前記第１の番号抽出部で抽出した前記無線フレーム番号及び前記サブフレーム番号と前記第２の番号抽出部で抽出した前記無線フレーム番号及び前記サブフレーム番号とを照合することによって、前記時刻抽出部によって抽出された前記通知フレームの前記受信時刻の中から、前記第１の番号抽出部で抽出した前記無線フレーム番号及び前記サブフレーム番号に対応する受信時刻を検索し、検索により得られた前記受信時刻を前記推定受信時刻として出力する時刻推定部と
を有する、
請求項１に記載の光通信システム。
【請求項３】
前記無線上りスケジューリング情報が、前記子局装置が前記端末から前記無線上りスケジューリング情報に対応する無線データを受信する子局受信時刻の情報を含み、
前記推定時刻算出部は、
前記無線上りスケジューリング情報から前記子局受信時刻を抽出する子局時刻抽出部と、
前記時刻抽出部が抽出した前記受信時刻と前記子局受信時刻との差分時間を求め、当該差分時間を時刻補正値として出力する時刻補正部と、
前記時刻補正値に基づいて前記子局受信時刻を補正することで前記推定受信時刻を算出する時刻算出部と
を有する、
請求項１に記載の光通信システム。
【発明の詳細な説明】
【技術分野】
【０００１】
この発明は、光通信システムに関し、特に、遅延時間の低減を図る光上りスケジューリングを行うための光通信システムに関する。
【背景技術】
【０００２】
ＬＴＥ（Ｌｏｎｇ  Ｔｅｒｍ  Ｅｖｏｌｕｔｉｏｎ）などの無線通信システムにおいて、端末は基地局と無線通信を行う。通常１つの基地局は複数の端末と通信を行っているので、端末同士の信号が混信しないよう、基地局は有限の通信容量（以下、リソースとする）を各端末に動的に割り当てるスケジューリングを行う。例えばＬＴＥの上り通信を例にとると、端末(以下、ＵＥとする)は、上りデータを基地局に送る場合に、まず、基地局に対して帯域要求を行う。基地局は、当該帯域要求を受けると、バッファ量およびチャネル状態などの、上りデータのスケジューリングに必要な情報をＵＥから得るために、ＵＥにこれらの情報を送るためのリソースを割り当て、ＵＥに対して当該リソースをレスポンスとして通知する。ＵＥは、割り当てられたリソースで、上りデータのスケジューリングに必要な情報を基地局に送信する。基地局は、当該情報を用いてスケジューリングを行い、上りデータを送るためのリソースをスケジューリンググラントによりＵＥに割り当てる。これらのやりとりを経て、ＵＥは初めて上りデータを基地局に送ることができる。【０００３】
一方で、基地局を、無線変復調機能を持った親局装置と無線送受信機能を持った子局装置とに分離した、Ｃ−ＲＡＮ構成が導入された無線システムが提案されている。当該無線システムでは、基地局を親局装置と子局装置とに分離して、親局装置を１つの局に集約することで、子局間の連携制御を効率的に実現している。このような無線システムにおいて、親局装置と子局装置との間の接続形態としては、ＰＯＮ（Ｐａｓｓｉｖｅ  Ｏｐｔｉｃａｌ  Ｎｅｔｗｏｒｋ）システムを利用した１対多接続の形態をとることもできる。この場合、親局装置と子局装置との間を光ファイバと光スプリッタとで接続する。この構成により、複数の子局装置の個数に対する親局装置の個数、および、光ファイバの本数を減らすことができ、経済性が向上する。【０００４】
ＰＯＮシステムにおいても、１つのＯＬＴ（Ｏｐｔｉｃａｌ  Ｌｉｎｅ  Ｔｅｒｍｉｎａｌ）は、複数のＯＮＵ（Ｏｐｔｉｃａｌ  Ｎｅｔｗｏｒｋ  Ｕｎｉｔ）と通信を行う。そのため、ＯＬＴは、通信容量を各ＯＮＵに動的に割り当てるスケジューリングを行っている。スケジューリングを行う際には、ＯＮＵは、最初に、自身の送信バッファに蓄積されているデータ量の情報（以下、ＲＥＰＯＲＴ情報とする）を、ＯＬＴから送られてくる送信許可信号が指定したタイミングで、ＯＬＴに送信する。ＯＬＴは、ＲＥＰＯＲＴ情報をもとに、スケジューリングを行い、上りデータを送信するためのリソースを各ＯＮＵに割り当てて、割り当てたリソースを、各ＯＮＵに通知する。これらのやりとりを経て、各ＯＮＵは、はじめて、上りデータをＯＬＴに送信することができる。しかし、親局装置と子局装置との接続形態としてＰＯＮシステムを用いた場合、各ＯＮＵに蓄積されているＲＥＰＯＲＴ情報を各ＯＮＵがＯＬＴに通知して、リソースが割り当てられ、上りデータが送信されるまでの遅延が発生する。【０００５】
Ｃ−ＲＡＮ実現には、親局装置と子局装置との間のデータ転送遅延を低減する必要がある。親局装置と子局装置との接続形態としてＰＯＮシステムを用いた場合の遅延を削減する手法として、例えば、特許文献１に記載の方法がある。ＦＤＤ方式においては、無線スケジューラが、必ず、アンテナが受信する４ｍｓほど前に無線上りスケジューリング情報を送信するので、特許文献１では、そのことを利用して、光スケジューラが、帯域を割り当てている。【０００６】
また、例えば特許文献２では、親局としての上位装置と子局としての基地局との接続にＰＯＮシステムを利用する場合に、ＯＮＵの配下にある基地局が、モバイル端末に対して、上り送信許可を与える際に、ＯＮＵにも同様の上り送信許可情報を与えることで、低遅延化を実現する手法が提案されている。
【先行技術文献】
【特許文献】
【０００７】
【特許文献１】国際公開第２０１４／０７７１６８号
【特許文献２】特許第５８７８９９１号公報
【発明の概要】
【発明が解決しようとする課題】
【０００８】
遅延を低下させた無線上りデータの転送には、光上りスケジューリングタイミングと無線上りスケジューリングタイミングとを同期させる必要がある。上記の特許文献１および特許文献２に記載の従来技術では、無線スケジューリング情報を受信したタイミングを基準として光リソースを割り当てている。しかしながら、当該従来技術では、無線スケジューリング情報の受信タイミングとサブフレーム先頭タイミングとの間には、親局内、子局内、ＯＮＵ内、及び、ＯＬＴ内での処理遅延に起因した、または、子局−ＯＮＵ間、及び、親局−ＯＬＴ間の伝送遅延に起因した、数十ｕｓ〜１ｍｓオーダーのずれが発生する可能性がある。その場合、光上りスケジューリングが正確に行えず、上り遅延時間が増大するという課題があった。【０００９】
この発明は、かかる課題を解決するためになされたものであり、局側装置において、端末側装置における子局装置からのデータの受信時刻を正確に把握することで、遅延時間を低減させた光上りスケジューリングを可能にする、光通信システムを得ることを目的としている。
【課題を解決するための手段】
【００１０】
この発明は、親局装置に接続された局側装置と、端末との間で無線通信を行う子局装置に接続された端末側装置と、前記局側装置と前記端末側装置とを接続する光伝送路とを備え、前記端末側装置は、前記端末が無線データを送信する送信タイミングを示す無線データ送信タイミング情報を前記子局装置から受信して、前記無線データ送信タイミング情報を受信した受信時刻を検出する受信時刻検出部と、前記受信時刻を前記局側装置に通知する通知フレームを送信する送信部とを備え、前記局側装置は、前記親局装置が管理する無線上りスケジューリング情報を抽出する無線情報抽出部と、前記送信部が送信する前記通知フレームから前記受信時刻を抽出する時刻抽出部と、前記時刻抽出部が抽出した前記受信時刻に基づいて、前記無線上りスケジューリング情報に対応するデータを前記端末側装置が前記子局装置から受信する推定受信時刻を算出する推定時刻算出部と、前記推定受信時刻と前記無線上りスケジューリング情報とに基づいて、前記端末側装置から前記局側装置へデータ送信を行うための光上りスケジューリング情報を生成するスケジューリング部と、前記光上りスケジューリング情報を前記端末側装置に通知する通知部とを備えた、光通信システムである。
【発明の効果】
【００１１】
この発明に係る光通信システムによれば、端末側装置で無線データ送信タイミング情報を受信して、当該情報の受信時刻を局側装置に通知することで、局側装置において、端末側装置における子局装置からのデータの受信時刻を正確に把握することで、親局装置が管理する無線上りスケジューリング情報と光上りスケジューリング情報とを正確に合致させることができ、その結果、遅延時間を低減させた光上りスケジューリングを可能にする。
【図面の簡単な説明】
【００１２】
【図１】この発明の実施の形態１に係る光通信システムの構成を示す構成図である。
【図２】この発明の実施の形態１に係る光通信システムにおける無線フレームの構成を示した図である。
【図３】この発明の実施の形態２に係る光通信システムの構成を示す構成図である。
【図４】この発明の実施の形態２に係る光通信システムにおける無線フレームの構成を示した図である。
【図５】この発明の実施の形態１に係る光通信システムにおける処理の流れを示すフローチャートである。
【図６】この発明の実施の形態１に係る光通信システムにおける処理の流れを示すフローチャートである。
【図７】この発明の実施の形態１に係る光通信システムにおける処理の流れを示すフローチャートである。
【図８】この発明の実施の形態１に係る光通信システムにおけるＯＬＴのハードウェア構成を示した構成図である。
【図９】この発明の実施の形態１に係る光通信システムにおけるＯＮＵのハードウェア構成を示した構成図である。
【図１０】この発明の実施の形態１に係る光通信システムにおけるＯＬＴのハードウェア構成を示した構成図である。
【図１１】この発明の実施の形態１に係る光通信システムにおけるＯＮＵのハードウェア構成を示した構成図である。
【発明を実施するための形態】
【００１３】
実施の形態１．
図１は、この発明の実施の形態１に係る光通信システムの構成を示した構成図である。実施の形態１においては、光通信システムとして、基地局連携光通信システムを例に挙げて説明する。実施の形態１では、親局装置と子局装置との間の接続形態として、ＰＯＮシステムを適用させている。
【００１４】
図１は、親局装置からの下りデータに含まれる無線上りスケジューリング情報に、無線データの無線フレーム番号及びサブフレーム番号を格納した場合の例を示す。無線データは、複数のサブフレームのシーケンスからなる無線フレームから構成されている。例えば、ＬＴＥの場合、１サブフレームの時間長は１ｍｓで、１無線フレームの時間長は１０ｍｓである。すなわち、ＬＴＥの場合には、１０個のサブフレームから１個の無線フレームが構成されている。また、図２は、親局装置が管理する無線上りスケジューリング情報の構成の一例を示す図である。
【００１５】
図１において、無線変復調機能を有する親局装置１と、無線送受信機能を持った子局装置２とが設けられている。親局装置１と子局装置２とは、基地局を構成している。親局装置１には、光加入者終端装置（以下、ＯＬＴとする）４が接続されている。子局装置２は、無線端末（ＵＥ）３との間で、無線通信を行う。子局装置２には、光ネットワークユニット（以下、ＯＮＵとする）５が接続されている。ＯＬＴ４とＯＮＵ５とは、光伝送路６により接続されている。光伝送路６は、例えば、光ファイバから構成されている。なお、図１においては、１個のＯＮＵ５のみが図示されているが、実際には、複数のＯＮＵ５が設けられている。その場合には、それらのＯＮＵ５は、光スプリッタ（図示せず）を介して、１つのＯＬＴ４に接続される。ＯＬＴ４は、特に、ＯＮＵ５が複数の場合に、容量を各ＯＮＵに動的に割り当てるスケジューリングを行う必要がある。ＯＬＴ４は、親局装置１側に配置されているため、局側装置と呼ばれる。一方、ＯＮＵ５は、ＵＥ３側に配置されているため、端末側装置と呼ばれる。
【００１６】
親局装置１は、無線上りスケジューリング情報を含む下りデータをＯＬＴ４に対して出力する。無線上りスケジューリング情報には、親局装置１が各ＵＥ３に対して割り当てたリソースを各ＵＥ３に対して指示する割当リソース情報が含まれる。割当リソースは、各ＵＥ３に対してどの時間帯にどの周波数帯域でサブフレームを送信するかを指示する情報である。各ＵＥ３は、親局装置１に対して上りデータを送信する際には、割当リソース情報で指示されたリソースで上りデータを送信する。また、上述したように、無線上りスケジューリング情報には、さらに、子局装置２毎、ＵＥ３毎の、無線データの無線フレーム番号およびサブフレーム番号が含まれている。
【００１７】
以下、ＯＬＴ４の構成を説明する。ＯＬＴ４は、無線情報抽出部１１と、リソース変換部１２と、番号抽出部１３と、ＧＰＳ抽出部１４と、時刻抽出部１５と、時刻推定部１６と、ＭＰＣＰ部１７と、時刻変換部１８と、ＰＯＮスケジューラ１９と、多重部（以下、ＭＵＸとする）２０と、光送受信部２１とで構成されている。以下、これらの構成要素について説明する。
【００１８】
無線情報抽出部１１は、親局装置１からの下りデータから、無線上りスケジューリング情報を抽出する。無線上りスケジューリング情報には、割当リソース情報と、無線フレーム番号と、サブフレーム番号とが、含まれる。
【００１９】
リソース変換部１２は、無線情報抽出部１１によって抽出された無線上りスケジューリング情報に含まれる割当リソース情報からＵＥ３毎の無線上りデータ量を検索し、ＵＥ３の上りデータを受信するＯＮＵ５毎に積算したデータ量を算出し、光リソース情報としてＰＯＮスケジューラ１９に通知する。
【００２０】
番号抽出部１３は、無線情報抽出部１１によって抽出された無線上りスケジューリング情報から、無線フレーム番号とサブフレーム番号とを抽出して、時刻推定部１６に対して出力する。
【００２１】
ＧＰＳ抽出部１４は、外部に設けられたＧＰＳ受信器７からの１ＰＰＳ，ＴｏＤに基づいて、絶対時刻を管理する。
【００２２】
時刻抽出部１５は、ＯＮＵ５からの上りデータから、当該上りデータに多重されたサブフレーム先頭通知フレームを抽出する。サブフレーム先頭通知フレームには、無線フレーム番号、サブフレーム番号、サブフレーム先頭時刻が含まれる。ここで、サブフレーム先頭時刻とは、ＯＮＵ５が、子局装置２から、上りデータに含まれるＳＵＢＦＲＡＭＥ．ｉｎｄｉｃａｔｉｏｎフレームを受信した受信時刻を示す。ＳＵＢＦＲＡＭＥ．ｉｎｄｉｃａｔｉｏｎフレームとは、ＵＥ３がサブフレームを送信する送信タイミング情報を示す情報を含む。
【００２３】
時刻推定部１６は、番号抽出部１３によって抽出された無線フレーム番号及びサブフレーム番号が示す無線データがＯＮＵ５で受信される受信時刻を絶対時刻で推定し、ＯＮＵ受信時刻として出力する。具体的には、時刻推定部１６には、時刻抽出部１５から、ＯＮＵ５からのサブフレーム先頭通知フレームに含まれる無線フレーム番号、サブフレーム番号、サブフレーム先頭時刻が入力される。また、時刻推定部１６には、システム設定値である１サブフレームの時間長が予め記憶されている。さらに、時刻推定部１６には、番号抽出部１３によって抽出された無線フレーム番号及びサブフレーム番号が入力される。時刻推定部１６は、番号抽出部１３によって抽出された無線フレーム番号及びサブフレーム番号と、先頭通知フレームに含まれる無線フレーム番号及びサブフレーム番号とを照合することにより、先頭通知フレームに含まれるサブフレーム先頭時刻の中から、番号抽出部１３によって抽出された無線フレーム番号及びサブフレーム番号に対応するサブフレーム先頭時刻を検索して求め、ＯＮＵ受信時刻として出力する。
【００２４】
なお、番号抽出部１３、時刻抽出部１５、および、時刻推定部１６は、時刻抽出部１５が抽出した受信時刻に基づいて、無線上りスケジューリング情報に対応するデータを端末側装置であるＯＮＵ５が子局装置２から受信する推定受信時刻を算出する推定時刻算出部を構成している。
また、番号抽出部１３は、無線上りスケジューリング情報から、無線フレーム番号及びサブフレーム番号を抽出する第１の番号抽出部を構成している。
また、時刻抽出部１５は、通知フレームとしてのサブフレーム先頭通知フレームから、無線フレーム番号及びサブフレーム番号を抽出する第２の番号抽出部を構成している。
また、時刻推定部１６は、第１の番号抽出部である番号抽出部１３で抽出した無線フレーム番号及びサブフレーム番号と第２の番号抽出部である時刻抽出部１５で抽出した無線フレーム番号及びサブフレーム番号とを照合することによって、時刻抽出部１５によって抽出されたサブフレーム先頭通知フレームに含まれる受信時刻の中から、第１の番号抽出部である番号抽出部１３で抽出した無線フレーム番号及びサブフレーム番号に対応する受信時刻を検索し、検索により得られた受信時刻を推定受信時刻であるＯＮＵ受信時刻として出力する時刻推定部を構成している。
【００２５】
ＭＰＣＰ部１７は、ＯＬＴ４及びＯＮＵ５が構成するＰＯＮシステムのシステム管理時刻であるＬｏｃａｌ  Ｔｉｍｅを管理する。また、ＭＰＣＰ部１７は、後述のＰＯＮスケジューラ１９からの光上りスケジューリング情報に基づいて、ＯＮＵ５へのリソース割当情報および送信許可タイミングを通知するための制御フレーム（以下、Ｇａｔｅフレームとする）を生成する。
【００２６】
時刻変換部１８は、ＭＰＣＰ部１７が管理する現在のＬｏｃａｌ  ＴｉｍｅとＧＰＳ抽出部１４からの絶対時刻とに基づいて、時刻推定部１６からの絶対時刻で表現されたＯＮＵ受信時刻を、Ｌｏｃａｌ  Ｔｉｍｅに変換して、ＯＮＵデータ受信タイミングとして出力する。すなわち、ＯＮＵデータ受信タイミングは、Ｌｏｃａｌ  Ｔｉｍｅで表現されたＯＮＵ受信時刻である。時刻推定部１６から出力されたＯＮＵ受信時刻は、絶対時刻で表現されているため、そのままでは、ＰＯＮスケジューラ１９で使用することができない。ＰＯＮスケジューラ１９で使用できるデータは、ＰＯＮシステムのシステム管理時刻であるＬｏｃａｌ  Ｔｉｍｅで表現されている必要がある、そのため、時刻変換部１８では、ＯＮＵ受信時刻を、絶対時刻からＬｏｃａｌ  Ｔｉｍｅ時刻へ変換する処理を行っている。
【００２７】
ＰＯＮスケジューラ１９は、リソース変換部１２からの光リソース情報と時刻変換部１８からのＯＮＵデータ受信タイミングとから、各ＯＮＵ５への割り当てるリソースをスケジューリングして、光上りスケジューリング情報として出力する。なお、ＰＯＮスケジューラ１９は、推定受信時刻を示すＯＮＵデータ受信タイミングと無線上りスケジューリング情報とに基づいて、端末側装置であるＯＮＵ５から局側装置２へデータ送信を行うための光上りスケジューリング情報を生成するスケジューリング部を構成している。
【００２８】
ＭＵＸ２０は、ＭＰＣＰ部１７で生成されたＧａｔｅフレームを、下りデータに多重する。
【００２９】
光送受信部２１は、ＯＮＵ５からの上りデータを受信して、時刻抽出部１５と親局装置１とに対して出力する。また、光送受信部２１は、ＭＵＸ２０で多重された下りデータとＧａｔｅフレームとを、ＯＮＵ５に対して出力する。
【００３０】
なお、ＭＰＣＰ部１７、ＭＵＸ２０、及び、光送受信部２１は、光上りスケジューリング情報を端末側装置であるＯＮＵ５に通知する通知部を構成している。
【００３１】
次に、ＯＮＵ５の構成を説明する。ＯＮＵ５は、番号抽出部２２と、ＧＰＳ抽出部２３と、時刻検出部２４と、フレーム生成部２５と、ＭＰＣＰ部２６と、送信制御部２７と、光送受信部２８と、多重部（以下、ＭＵＸ）２９とで構成されている。
【００３２】
番号抽出部２２は、子局装置２からの上りデータから、ＳＵＢＦＲＡＭＥ．ｉｎｄｉｃａｔｉｏｎフレームを抽出し、ＳＵＢＦＲＡＭＥ．ｉｎｄｉｃａｔｉｏｎフレームに含まれる無線フレーム番号およびサブフレーム番号を取得する。取得した無線フレーム番号およびサブフレーム番号は、フレーム生成部２５に対して出力される。また、番号抽出部２２は、ＳＵＢＦＲＡＭＥ．ｉｎｄｉｃａｔｉｏｎフレームの受信を示すフレーム受信トリガを生成する。生成されたフレーム受信トリガは、時刻検出部２４に対して出力される。
【００３３】
ＧＰＳ抽出部２３は、外部に設けられたＧＰＳ受信器７からの１ＰＰＳ，ＴｏＤに基づいて、絶対時刻を管理する。
【００３４】
時刻検出部２４は、番号抽出部２２からのフレーム受信トリガとＧＰＳ抽出部２３からの絶対時刻とから、ＯＮＵ５がＳＵＢＦＲＡＭＥ．ｉｎｄｉｃａｔｉｏｎフレームを受信した受信時刻を絶対時刻で検出して、サブフレーム先頭時刻として出力する。
【００３５】
番号抽出部２２および時刻検出部２４は、端末であるＵＥ３が無線データを送信する送信タイミングを示す無線データ送信タイミング情報を、子局装置２から受信して、無線データ送信タイミング情報を受信した受信時刻を検出する受信時刻検出部を構成している。
【００３６】
フレーム生成部２５は、番号抽出部２２で取得された無線フレーム番号及びサブフレーム番号と、時刻検出部２４で検出されたサブフレーム先頭時刻とを含む、サブフレーム先頭通知フレームを生成する。
【００３７】
ＭＰＣＰ部２６は、光送受信部２８がＯＬＴ４から受信した下りデータから、Ｇａｔｅフレームを抽出して処理し、Ｇａｔｅフレームに含まれる、送信許可タイミングを示す送信許可信号を出力する。
【００３８】
送信制御部２７は、ＭＰＣＰ部２６からの送信許可信号の送信許可タイミングに従って、上りデータ及びサブフレーム先頭通知フレームの送信の制御を行う。
【００３９】
光送受信部２８は、送信制御部２７の制御により、上りデータ及びサブフレーム先頭通知フレームをＯＬＴ４に送信する。また、光送受信部２８は、ＯＬＴ４からの下りデータを受信して、ＭＰＣＰ部２６および子局装置２に対して出力する。
【００４０】
なお、フレーム生成部２５、送信制御部２７、及び、光送受信部２８は、ＯＮＵ５の受信時刻を局側装置であるＯＬＴ４に通知する通知フレームとしてのサブフレーム先頭通知フレームを送信する送信部を構成している。
【００４１】
ＭＵＸ２９は、フレーム生成部２５で生成されたサブフレーム先頭通知フレームを、上りデータに多重して、送信制御部２７に出力する。
【００４２】
次に、動作について説明する。
【００４３】
初めに、ＯＮＵ５における、子局装置２の無線フレーム番号及びサブフレーム番号とサブフレーム先頭時刻とを把握する処理について説明する。図５に、サブフレーム先頭時刻の把握処理のフローの例を示す。
【００４４】
図５において、まず、ステップＳ１について説明する。ＯＮＵ５は、子局装置２から、上りデータを受信する。上りデータには、主信号データとＳＵＢＦＲＡＭＥ．ｉｎｄｉｃａｔｉｏｎフレームとが含まれている。ＯＮＵ５は、子局装置２から上りデータを受信する際に、サブフレームの先頭毎に、ＳＵＢＦＲＡＭＥ．ｉｎｄｉｃａｔｉｏｎフレームを受信する。従って、ＳＵＢＦＲＡＭＥ．ｉｎｄｉｃａｔｉｏｎフレームの受信時刻は、サブフレームの先頭を受信した時刻を示す。そのため、ここでは、当該時刻を、サブフレーム先頭時刻と呼ぶ。ＯＮＵ５で受信された上りデータは、番号抽出部２２に転送される。ステップＳ１では、番号抽出部２２が、ＯＮＵ５がＳＵＢＦＲＡＭＥ．ｉｎｄｉｃａｔｉｏｎフレームを受信したことを示すフレーム受信トリガを生成する。フレーム受信トリガは、時刻検出部２４に対して出力される。
【００４５】
次に、ステップＳ２について説明する。ＯＮＵ５では、ＧＰＳ受信器７などの外部装置もしくは上位装置から、ＧＰＳ信号（１ＰＰＳ，ＴｏＤ）を受信しており、ＧＰＳ抽出部２３にて、ＧＰＳ信号を用いて絶対時刻を把握している。この絶対時刻は、時刻検出部２４に通知されている。ステップＳ２では、時刻検出部２４が、番号抽出部２２からのフレーム受信トリガと、ＧＰＳ抽出部２３からの絶対時刻とを用いて、ＳＵＢＦＲＡＭＥ．ｉｎｄｉｃａｔｉｏｎフレームの受信時刻を検出し、サブフレーム先頭時刻として、フレーム生成部２５へと通知する。
【００４６】
ステップＳ３では、番号抽出部２２が、上りデータから、無線フレーム番号およびサブフレーム番号を抽出する。抽出された無線フレーム番号及びサブフレーム番号は、フレーム生成部２５へと通知される。
【００４７】
ステップＳ４では、フレーム生成部２５が、番号抽出部２２で抽出された無線フレーム番号及びサブフレーム番号と、時刻検出部２４で検出されたサブフレーム先頭時刻とを用いて、サブフレーム先頭通知フレームを生成する。従って、サブフレーム先頭通知フレームには、無線フレーム番号、サブフレーム番号、及び、サブフレーム先頭時刻が含まれる。
【００４８】
ステップＳ５では、ＭＵＸ２９で、サブフレーム先頭通知フレームが上りデータに多重され、送信制御部２７に送信される。一方、ＭＰＣＰ部２６が、ＯＬＴ４から送信されてきたＧａｔｅフレームに含まれる送信許可信号から送信許可タイミングを抽出する。送信制御部２７は、送信許可タイミングに従って、多重された上りデータ及びサブフレーム先頭通知フレームをＯＬＴ４に送信する。
【００４９】
続いて、ＯＬＴ４でのサブフレーム先頭通知フレームからサブフレーム先頭時刻を把握する処理について説明する。図６に、サブフレーム先頭時刻の把握処理のフローの例を示す。
【００５０】
図６において、ステップＳ１１では、ＯＬＴ４において、ＯＮＵ５から、上りデータに多重されたサブフレーム先頭通知フレームを受信する。サブフレーム先頭通知フレームは、時刻抽出部１５に入力される。時刻抽出部１５では、サブフレーム先頭通知フレームを抽出する。
【００５１】
ステップＳ１２では、時刻抽出部１５が、サブフレーム先頭通知フレームに格納された無線フレーム番号、サブフレーム番号、及び、サブフレーム先頭時刻を抽出して、時刻推定部１６に通知する。
【００５２】
ステップＳ１３では、時刻推定部１６が、ＯＬＴ４の無線フレーム番号及びサブフレーム番号に対応するサブフレーム先頭時刻を求め、ＯＮＵ受信時刻を更新する。具体的には、時刻推定部１６は、番号抽出部１３で抽出した無線フレーム番号及びサブフレーム番号と時刻抽出部１５で抽出した無線フレーム番号及びサブフレーム番号とを照合することによって、時刻抽出部１５で抽出したサブフレーム先頭時刻の中から、番号抽出部１３で抽出した無線フレーム番号及びサブフレーム番号に対応するサブフレーム先頭時刻を検索する。時刻推定部１６は、当該検索で得られたサブフレーム先頭時刻を、ＯＮＵ５における受信時刻の推定値として出力する。ここでは、当該推定値を、ＯＮＵ受信時刻と呼ぶ。
【００５３】
ステップＳ１１〜Ｓ１３の処理を、ＯＬＴ４に接続された各ＯＮＵ５ごとに実施する。
【００５４】
これにより、子局装置２からＯＮＵ５に到着するサブフレーム先頭時刻を、ＯＮＵ５毎に、ＯＬＴ４にて正確に把握することが可能となる。このサブフレーム先頭時刻は、ＯＮＵ５において、フレーム受信トリガによって得た値であるため、実測された受信時刻である。そのため、子局装置２の処理遅延、ＯＮＵ５の処理遅延、子局装置２とＯＮＵ５との間の伝送遅延に起因するずれが含まれている。当該ずれが含まれた受信時刻を、フレーム受信トリガによって得ることで、正確な受信時刻が取得できる。そうして得た正確な受信時刻をＯＬＴ４に通知することで、ＯＬＴ４においても、正確な受信時刻を把握することができる。
【００５５】
次に、上記の無線フレーム・サブフレーム先頭時刻を用いたＯＮＵ５への光上りスケジューリングの処理の流れについて説明する。図７に、サブフレーム先頭時刻を用いたＯＮＵ５への光上りスケジューリング処理のフローの例を示す。
【００５６】
まず、親局装置１から、無線上りスケジューリング情報を含む下りデータがＯＬＴ４に送信される。
【００５７】
ステップＳ２１では、ＯＬＴ４で受信した下りデータは、無線情報抽出部１１に入力される。無線情報抽出部１１は、下りデータから、無線主信号と無線上りスケジューリング情報とを抽出する。無線上りスケジューリング情報には、図２に示すように、子局装置２毎、ＵＥ３毎の、子局受信タイミング情報として、無線フレーム番号とサブフレーム番号が格納され、割当リソース情報として、ＲＩＶ、ＭＣＳが格納されている。なお、図２ではＲＩＶはＲＢＡと記載され、ＭＣＳはＭ＃１，Ｍ＃２と記載されている。抽出した無線上りスケジューリング情報は、リソース変換部１２と番号抽出部１３にそれぞれ転送される。番号抽出部１３では、無線上りスケジューリング情報から、子局装置２毎、ＵＥ３毎の、無線フレーム番号およびサブフレーム番号を抽出する。抽出した無線フレーム番号およびサブフレーム番号は時刻推定部１６に転送される。
【００５８】
ステップＳ２２では、リソース変換部１２が、無線上りスケジューリング情報から、ＵＥ３毎の割当リソース情報を抽出し、抽出したＵＥ３毎の割当リソース情報から上りデータ量を算出する。算出された上りデータ量は、ＰＯＮスケジューラ１９へと通知される。
【００５９】
ステップＳ２３では、時刻推定部１６が、ＯＮＵ５からのサブフレーム先頭通知フレームに含まれる、無線フレーム番号、サブフレーム番号、サブフレーム先頭時刻と、システム設定値である１サブフレームの時間長とを用いて、サブフレーム先頭通知フレームに含まれるサブフレーム先頭時刻の中から、番号抽出部１３によって抽出された無線フレーム番号及びサブフレーム番号に対応するサブフレーム先頭時刻を求め、当該サブフレーム先頭時刻を時刻順に並び替え、ＯＮＵ受信時刻として、時刻変換部１８に対して出力する。
【００６０】
ステップＳ２４では、時刻変換部１８が、ＭＰＣＰ部１７が管理する現在のＬｏｃａｌ  Ｔｉｍｅと、ＧＰＳ抽出部１４からの絶対時刻とを用いて、ＯＮＵ受信時刻を絶対時間表現からＬｏｃａｌ  Ｔｉｍｅ表現へと変換することで、ＯＮＵデータ受信タイミングを得る。ＯＮＵ受信タイミングは、ＰＯＮスケジューラ１９に対して出力される。
【００６１】
次に、ステップＳ２５〜Ｓ２９の処理を実行する。ステップＳ２５〜Ｓ２９の処理において、ＰＯＮスケジューラ１９では、子局装置２毎、ＵＥ３毎の、ＯＮＵデータ受信タイミングと、光リソース情報に含まれる上りデータ量とから、ＯＮＵ５毎の光上りスケジューリングを行い、ＭＰＣＰ部１７へと通知する。このとき、ＯＮＵデータ受信タイミングには、ＯＬＴ４−ＯＮＵ５間の往復遅延時間によるずれが含まれていないため、ＰＯＮスケジューラ１９は、ＯＬＴ４−ＯＮＵ５間の往復遅延時間も加味して、光上りスケジューリングを行うことが、より望ましい。ＭＰＣＰ部１７では、この光上りスケジューリング情報を基に、Ｇａｔｅフレームを生成し、ＯＮＵ５へと通知する。Ｇａｔｅフレームには、ＯＮＵ５がＯＬＴ４に対して上りデータを送信することを許可する送信許可タイミングを示す送信許可信号が含まれている。
【００６２】
以下、ステップＳ２５〜Ｓ２９について説明する。ステップＳ２５〜Ｓ２９の処理は、予め設定された割当周期ごとに、繰り返し、実行される。
【００６３】
ステップＳ２５では、ＰＯＮスケジューラ１９が、システム設定値に従い、子局装置２が同時に受信するＵＥ３からの全データを格納して、ＯＮＵ５に送信するフレーム数を求め、Ｎ［ｉ］個とする。
【００６４】
ステップＳ２６では、ＰＯＮスケジューラ１９が、システム設計値と、ＵＥ３毎のデータ量とから、Ｎ［ｉ］個のフレームのフレーム長を求める。
【００６５】
ステップＳ２７では、ＯＮＵ５のＲＴＴと外部ネットワーク装置構成情報に従い、データ受信時刻を、子局装置２のＮ［ｉ］個のフレームのフレーム送信開始時刻に変換する。
【００６６】
ＰＯＮスケジューラ１９は、ステップＳ２５〜Ｓ２７の処理を、ＯＬＴ４に接続された各ＯＮＵ５毎に実行する。そうして、すべてのＯＮＵ５に対して、ステップＳ２５〜Ｓ２７の処理が終了したら、ステップＳ２８に進む。
【００６７】
ステップＳ２８では、ＰＯＮスケジューラ１９が、Ｎ［ｉ］個の総数の送信開始時刻とフレーム長とに基づき、ＰＯＮ区間で生じるオーバーヘッドも加算して、全てのＯＮＵ５の送信許可を割り当てる。
【００６８】
ステップＳ２９では、ＰＯＮスケジューラ１９が、光上りスケジューリング情報とは独立に発生する上りデータのために、余剰帯域を全ＯＮＵ５に割り当てる。
【００６９】
次に、実施の形態１を実現するＯＬＴ４及びＯＮＵ５のハードウェア構成例を、図８及び図９にそれぞれ示す。図１に示すＯＬＴ４及びＯＮＵ５の各部の機能は処理回路によって実現される。処理回路が専用のハードウェアである場合、処理回路は、例えば単一回路、複合回路、プログラム化したプロセッサ、並列プログラム化したプロセッサ、ＡＳＩＣ、ＦＰＧＡ、またはこれらを組み合わせたものが該当する。
【００７０】
また、実施の形態１を実現するＯＬＴ４及びＯＮＵ５ハードウェア構成のもう一つの例を、図１０及び図１１に示す。処理回路がＣＰＵの場合、図１に示すＯＬＴ４及びＯＮＵ５の各部の機能は、ソフトウェア、ファームウェア、またはそれらの組み合わせにより実現される。ソフトウェアやファームウェアはプログラムとして記述され、メモリに格納される。処理回路を構成するプロセッサは、メモリに記録されたプログラムを読み出して実行することにより、前述の各部の機能を実現する。
【００７１】
なお、各機能について、一部を専用のハードウェアで実現し、一部をソフトウェアまたはファームウェアで実現するようにしてもよい。また、ＯＬＴ４及びＯＮＵ５の構成も図８〜図１１を組み合わせてもよい。このように、処理回路は、ハードウェア、ソフトウェア、ファームウェア、またはこれらの組み合わせによって、前述の各機能を実現することができる。
【００７２】
上述したように、実施の形態１においては、ＯＮＵ５でのＳＵＢＦＲＡＭＥ．ｉｎｄｉｃａｔｉｏｎフレームの受信、および、当該フレームの受信時刻のＯＬＴ４への通知により、親局装置１が管理する、ＵＥ３毎、子局装置２毎の、無線上りスケジューリング情報と、ＰＯＮにおける光上りスケジューリング情報とを正確に合致させることで、ＯＮＵ５での無線データ蓄積時間を減らしたリソース割当が実施可能となり、上り遅延時間が低減される。
【００７３】
以上のように、実施の形態１に係る光通信システムにおいては、端末側装置であるＯＮＵ５が、ＵＥ３が無線データを送信する送信タイミングを示す無線データ送信タイミング情報であるＳＵＢＦＲＡＭＥ．ｉｎｄｉｃａｔｉｏｎフレームを子局装置２から受信して、当該フレームを受信した受信時刻を検出する番号抽出部２２及び時刻検出部２４と、当該受信時刻を局側装置であるＯＬＴ４に通知するサブフレーム先頭通知フレームを生成して送信する送信部（２５，２７，及び，２８）とを備えている。
【００７４】
また、局側装置であるＯＬＴ４は、親局装置１が管理する無線上りスケジューリング情報を抽出する無線情報抽出部１１と、送信部（２５，２７，及び，２８）が送信するサブフレーム先頭通知フレームから受信時刻を抽出する時刻抽出部１５と、時刻抽出部１５が抽出した受信時刻に基づいて、無線上りスケジューリング情報に対応する無線データをＯＮＵ５が子局装置２から受信する受信時刻の推定値を算出する推定時刻算出部（１３，１５，及び，１６）と、受信時刻の推定値と無線上りスケジューリング情報とに基づいて、ＯＮＵ５からＯＬＴ４へのデータ送信のための光上りスケジューリング情報を生成するＰＯＮスケジューラ１９と、光上りスケジューリング情報をＯＮＵ５に通知する通知部（１７，２０，及び，２１）とを備えている。
【００７５】
こうして、実施の形態１では、ＯＮＵ５でＳＵＢＦＲＡＭＥ．ｉｎｄｉｃａｔｉｏｎフレームを受信すること、および、当該フレームの受信時刻をＯＬＴ４へ通知することにより、親局装置１、子局装置２、ＯＮＵ５、ＯＬＴ４における処理遅延、および、子局装置２−ＯＮＵ５間、親局装置１−ＯＬＴ４間の、伝送遅延に起因するずれを含む、ＯＮＵ５での受信時刻を、ＯＬＴ４が正確に把握することができる。それにより、ＯＮＵ５での無線データ蓄積時間を減らすリソース割当が可能となり、親局装置１が管理する、ＵＥ３毎、子局装置２毎の、無線上りスケジューリング情報と、ＰＯＮにおける光上りスケジューリング情報とを正確に合致させることができる。このように、実施の形態１では、無線通信において、ＯＮＵ５における子局装置２からのデータの受信時刻を正確にＯＬＴ４が把握することで、上りデータの送信の遅延時間を抑えた、光上りスケジューリングを可能にする。
【００７６】
また、実施の形態１では、無線上りスケジューリング情報が、無線データの無線フレーム番号及びサブフレーム番号を含んでいる。実施の形態１では、推定時刻算出部（１３，１５，１６）が、無線上りスケジューリング情報から、無線フレーム番号及びサブフレーム番号を抽出する番号抽出部１３と、サブフレーム先頭通知フレームから、無線フレーム番号及びサブフレーム番号を抽出する第２の番号抽出部としての時刻抽出部１５と、番号抽出部１３で抽出した無線フレーム番号及びサブフレーム番号と時刻抽出部１５で抽出した無線フレーム番号及びサブフレーム番号とを照合することによって、番号抽出部１３で抽出した無線フレーム番号及びサブフレーム番号に対応する無線データのＯＮＵ５における受信時刻を、時刻抽出部１５が抽出した受信時刻の中から検索し、当該受信時刻を受信時刻の推定値として算出する時刻推定部１６とを有している。このように、実施の形態１では、無線上りスケジューリング情報が、無線データの無線フレーム番号及びサブフレーム番号を含んでいるため、ＯＬＴ４が、それらの番号に基づいてＯＮＵ５での受信時刻を検索して、当該受信時刻に基づいてＯＮＵ受信時刻を推定することができるので、簡単な処理で、容易に且つ正確に、ＯＮＵ受信時刻を取得することができる。
【００７７】
実施の形態２．
上記の実施の形態１では、親局装置１からの無線上りスケジューリング情報が、無線フレーム番号およびサブフレーム番号を含む場合を示したものであるが、実施の形態２では、無線上りスケジューリング情報が、子局装置２がＵＥ３から無線データを受信する受信時刻の情報を含む場合について説明する。
【００７８】
図３は、実施の形態２に係る光通信システムの構成を示す構成図である。図３において、ＯＮＵ５の構成は、図１のＯＮＵ５の構成と同じであるため、ここでは説明を省略する。一方、ＯＬＴ４の構成は、図１のＯＬＴ４と異なる。具体的に相違点を説明すると、図３においては、図１の番号抽出部１３及び時刻推定部１６の代わりに、時刻抽出部３０及び時刻補正部３１が設けられている点である。また、図１の時刻変換部１８の代わりに、図３では、時刻変換部１８Ａが設けられている。図３において、ＯＬＴ４の他の構成については、図１と同じである。図３において、図１と同じ構成については、同一符号を付して示し、ここでは、その説明を省略する。
【００７９】
時刻抽出部３０は、無線情報抽出部１１で抽出された無線上りスケジューリング情報から、子局装置２がＵＥ３から無線データを受信する受信時刻を抽出する。ここでの受信時刻は、絶対時刻で表現されている。以下では、当該受信時刻を、子局受信絶対時刻と呼ぶこととする。
【００８０】
時刻補正部３１は、時刻抽出部３０で抽出された子局受信絶対時刻と、時刻抽出部１５で抽出されたサブフレーム先頭時刻とに基づいて、子局受信絶対時刻を補正してＯＮＵ受信時刻を得るためのＯＮＵ受信時刻補正値を算出する。
【００８１】
時刻変換部１８Ａには、時刻抽出部３０からの子局受信絶対時刻と、ＯＬＴ４が管理する現在のＬｏｃａｌ  Ｔｉｍｅと、ＧＰＳ抽出部１４からの絶対時刻と、時刻補正部３１からの時刻補正値とが入力される。時刻変換部１８Ａは、ＯＮＵ受信時刻補正値を用いて子局受信絶対時刻を補正することで、ＯＮＵ５が子局装置２から無線データを受信する受信時刻の推定値を、ＯＮＵ受信時刻として求める。次に、時刻変換部１８Ａは、ＯＬＴ４が管理する現在のＬｏｃａｌ  ＴｉｍｅとＧＰＳ抽出部１４からの絶対時刻とに基づいて、絶対時刻で表現されているＯＮＵ受信時刻を、Ｌｏｃａｌ  Ｔｉｍｅに変換して、ＯＮＵデータ受信タイミングとして出力する。
【００８２】
なお、実施の形態２では、時刻抽出部３０、時刻補正部３１、および、時刻変換部１８Ａは、時刻抽出部１５が抽出した受信時刻に基づいて、無線上りスケジューリング情報に対応するデータを端末側装置であるＯＮＵ５が子局装置２から受信する推定受信時刻であるＯＮＵ受信時刻を算出する推定時刻算出部を構成している。
また、時刻抽出部３０は、無線上りスケジューリング情報から子局受信時刻を抽出する子局時刻抽出部を構成している。
また、時刻補正部３１は、時刻抽出部１５が抽出した受信時刻と子局受信時刻との差分時間を求め、当該差分時間を時刻補正値として出力する時刻補正部を構成している。
また、時刻変換部１８Ａは、時刻補正値に基づいて子局受信時刻を補正することで推定受信時刻を示すＯＮＵデータ受信タイミングを算出する時刻算出部を構成している。
【００８３】
次に、動作について説明する。基本的な動作は、上記の実施の形態１と同じである。以下では、時刻抽出部３０と時刻補正部３１と時刻変換部１８Ａの動作についてのみ説明する。
【００８４】
次に、実施の形態２に係るＯＮＵ５への光上りスケジューリング処理について説明する。
【００８５】
親局装置１から、無線上りスケジューリング情報を含む下りデータがＯＬＴ４に送信される。ＯＬＴ４では、受信した下りデータは、無線情報抽出部１１に入力される。無線情報抽出部１１は、下りデータから、無線主信号と無線上りスケジューリング情報とを抽出する。無線上りスケジューリング情報には、図４に示すように、子局装置２毎、ＵＥ３毎の、子局受信タイミングとして、子局装置２でのデータ受信絶対時刻が格納され、また、割当リソースとして、ＲＩＶ、ＭＣＳが格納されている。
【００８６】
無線情報抽出部１１で抽出された無線上りスケジューリング情報は、リソース変換部１２および時刻抽出部３０に対して出力される。時刻抽出部３０は、無線上りスケジューリング情報から、子局装置２毎、ＵＥ３毎の、子局受信絶対時刻を抽出する。抽出された子局受信絶対時刻は、時刻補正部３１に対して出力される。時刻補正部３１では、ＯＮＵ５から通知されたサブフレーム先頭時刻と、１サブフレームの時間長とから、数周期先のサブフレーム先頭時刻を予測する。次に、時刻補正部３１は、予測した当該数周期先のサブフレーム先頭時刻と、時刻抽出部３０からの子局受信絶対時刻とを比較し、子局受信絶対時刻を超えない最大のサブフレーム先頭時刻と子局受信絶対時刻との差分時間をＯＮＵ受信時刻補正値として算出する。なお、ここで、１サブフレームの時間長は、システム設定値であり、例えば、ＬＴＥの場合、１ｍｓである。また、ここでは、数周期先として説明したが、これは、処理における時間的な余裕を持たせるためで、１周期先でもよい。時刻補正部３１で算出したＯＮＵ受信時刻補正値は、時刻変換部１８Ａへと通知される。
【００８７】
時刻変換部１８Ａでは、まず、ＯＮＵ受信時刻補正値を加算して子局受信絶対時刻を補正することで、ＯＮＵ５が子局装置２からデータを受信するＯＮＵ受信時刻を求める。次に、時刻変換部１８Ａでは、ＯＬＴ４が管理する現在のＬｏｃａｌ  ＴｉｍｅとＧＰＳ抽出部１４からの絶対時刻とから、求めたＯＮＵ受信時刻をＬｏｃａｌ  Ｔｉｍｅへ変換して、ＯＮＵデータ受信タイミングとして出力する。ＯＮＵデータ受信タイミングは、ＰＯＮスケジューラ１９へと通知される。一方、リソース変換部１２では、無線上りスケジューリング情報に含まれる割当リソースから上りデータ量を算出し、ＰＯＮスケジューラ１９へと通知する。ＰＯＮスケジューラ１９では、子局装置２毎、ＵＥ３毎の、Ｌｏｃａｌ  Ｔｉｍｅへ変換されたＯＮＵデータ受信タイミングと上りデータ量とから、ＯＬＴ４−ＯＮＵ５間の往復遅延時間も加味して、ＯＮＵ５毎の光上りスケジューリングを行い、ＭＰＣＰ部１７へと通知する。ＰＯＮスケジューラ１９の処理は、実施の形態１で説明した処理と同じであるため、ここでは、詳しい説明は省略する。ＭＰＣＰ部１７では、この光上りスケジューリング情報を基にＧａｔｅフレームを生成し、ＯＮＵ５へと通知する。
【００８８】
以上により、実施の形態２においても、上記の実施の形態１と同様に、ＯＮＵ５でＳＵＢＦＲＡＭＥ．ｉｎｄｉｃａｔｉｏｎフレームを受信すること、および、当該フレームの受信時刻をＯＬＴ４へ通知することにより、親局装置１、子局装置２、ＯＮＵ５、ＯＬＴ４における処理遅延、および、子局装置２−ＯＮＵ５間、親局装置１−ＯＬＴ４間の、伝送遅延に起因するずれを含む、ＯＮＵ５での受信時刻を、ＯＬＴ４が正確に把握することができる。それにより、ＯＮＵ５での無線データ蓄積時間を減らすリソース割当が可能となり、親局装置１が管理する、ＵＥ３毎、子局装置２毎の、無線上りスケジューリング情報と、ＰＯＮにおける光上りスケジューリング情報とを正確に合致させることができる。このように、実施の形態１では、無線通信において、ＯＮＵ５における子局装置２からのデータの受信時刻を正確にＯＬＴ４が把握することで、上りデータの送信の遅延時間を抑えた、光上りスケジューリングを可能にする。
【００８９】
さらに、実施の形態２においては、無線上りスケジューリング情報に含まれるタイミング情報が子局受信絶対時刻であった場合にも、親局装置１が管理するＵＥ３毎、子局装置２毎の、無線上りスケジューリングとＰＯＮにおける光上りスケジューリング情報とを、ＯＮＵ５でのＳＵＢＦＲＡＭＥ．ｉｎｄｉｃａｔｉｏｎフレームの受信およびその情報のＯＬＴ４への通知により、正確に合致させることで、ＯＮＵ５での無線データ蓄積時間を減らしたリソース割当を実施可能となり、上り遅延時間が低減される。
【符号の説明】
【００９０】
１  親局装置、２  子局装置、３  無線端末（ＵＥ）、４  光加入者終端装置（ＯＬＴ）、５  光ネットワークユニット（ＯＮＵ）、６  光伝送路、７  ＧＰＳ受信器、１１  無線情報抽出部、１２  リソース変換部、１３  番号抽出部、１４  ＧＰＳ抽出部、１５  時刻抽出部、１６  時刻推定部、１７  ＭＰＣＰ部、１８  時刻変換部、１９  ＰＯＮスケジューラ、２０  ＭＵＸ、２１  光送受信部、２２  番号抽出部、２３  ＧＰＳ抽出部、２４  時刻検出部、２５  フレーム生成部、２６  ＭＰＣＰ部、２７  送信制御部、２８  光送受信部、２９  ＭＵＸ。
【図１】
0006599063.tif 000002
【図２】
0006599063.tif 000003
【図３】
0006599063.tif 000004
【図４】
0006599063.tif 000005
【図５】
0006599063.tif 000006
【図６】
0006599063.tif 000007
【図７】
0006599063.tif 000008
【図８】
0006599063.tif 000009
【図９】
0006599063.tif 000010
【図１０】
0006599063.tif 000011
【図１１】
0006599063.tif 000012